(57)【要約】【課題】壁掛式給湯機の室内への突出量を減らし、給湯機の下方と床の間のスペースを大きくでき、給湯機の下方に、例えば洗濯機を設置できるようにする。【解決手段】給湯機２内部の側面に第１給湯接続口３３第１給水接続口４７及び燃料接続口を開口し、給湯配管１１５給水配管１０３燃料配管１１７を接続することで、容易に配管を壁１の外に露出させ、さらに給湯機２を迂回して配管できる。給湯機２の下部の水抜き兼用第２給湯接続口３５と水抜き兼用第２給水接続口４１とに、バルブ５３を介さずに水抜き兼用混合水栓１２１を取り付ける。さらに、給湯機２の下部に水抜き兼用混合水栓１２１を、あらかじめ一体的に取り付ける。給湯機２の反対側の側面に、第３給湯接続口３９、第３給水接続口４３及び第２燃料接続口４９を開口し、必要ない接続口は閉じておくことで、接続する給湯配管１１５及び給水配管１０３の配管の自由度が大きくなる。【選択図】図１
2004271020.tif 000002
【特許請求の範囲】
【請求項１】
ガスまたは石油を燃料とする燃焼器と、この燃焼器により発生した燃焼ガスによる熱交換を行う熱交換器と、この熱交換器へ外部から水を導く給水管と、前記熱交換器からのお湯を外部へ導く給湯管と、前記燃焼器へ外部から前記燃料を導く燃料管と、これらの燃焼器、熱交換器、給水管、及び給湯管が収納される筐体と、前記給湯管が分岐した一方が連通し、前記筐体の側面に開口する第１給湯接続口と、前記給湯管が分岐した他方が連通し、前記筐体の下部に開口する水抜き兼用第２給湯接続口と、前記給水管が分岐した一方が連通し、前記筐体の下部に開口する水抜き兼用第２給水接続口と、前記給水管が分岐した他方が連通し、前記筐体の側面に開口する第１給水接続口と、前記燃料管が連通し、前記筐体の側面に開口する燃料接続口と、を有することを特徴とする壁掛式給湯機。
【請求項２】
前記水抜き兼用第２給湯接続口と前記水抜き兼用第２給水接続口とに、バルブを介さずに水抜き兼用混合水栓を取り付け、前記側面の第１給湯接続口及び第１給水接続口にそれぞれバルブを設けたことを特徴とする請求項１に記載の壁掛式給湯機。
【請求項３】
前記水抜き兼用第２給湯接続口と前記水抜き兼用第２給水接続口とに、前記水抜き兼用混合水栓を、あらかじめ一体的に取り付けたことを特徴とする請求項２に記載の壁掛式給湯機。
【請求項４】
前記給湯管がさらに分岐し、給湯バイパス管となって前記燃焼器、または前記熱交換器を迂回し、前記第１給湯接続口とは反対側の前記筐体の側面に開口する第３給湯接続口に連通し、前記給水管がさらに分岐し、給水バイパス管となって前記燃焼器、または前記熱交換器を迂回し、前記第１給水接続口とは反対側の前記筐体の側面に開口する第３給水接続口に連通し、前記燃料管が分岐し、燃料バイパス管となって前記燃焼器、または前記熱交換器を迂回し、前記燃料接続口とは反対側の前記筐体の側面に開口する第２燃料接続口に連通したことを特徴とする請求項１に記載の壁掛式給湯機。
【発明の詳細な説明】
【０００１】
【発明の属する技術分野】
この発明は、壁掛式給湯機の構造に関する。
【０００２】
【従来の技術】
従来の室内の壁に掛けて使用する壁掛式の給湯機を、図１３及び図１４において説明する。
この給湯機１０１の内部で、図示しないものの、ガスまたは石油を燃料として燃焼器から発生した燃焼ガスにより、熱交換器において、水が加熱されお湯となる。
このとき、給水配管１０３からの水は給水バルブ１０５を介して、給湯機１０１の筐体１０７の下面に開口する給水接続口１０９から給湯機１０１に入り、内部の給水管を通って熱交換器へいたり、加熱される。加熱されたお湯は、給湯管を通り、給湯機１０１の筐体１０７の下面に開口する給湯接続口１１１から、給湯機１０１を出て給湯バルブ１１３を介して、給湯配管１１５へ送られる。さらに燃料配管１１７により、燃料であるガスが給湯機１０１に供給される。
【０００３】
また、図のように、給湯機１０１の下方に設置された洗濯機１１９へ別に給湯が必要なときなどは、給水配管１０３は給水バルブ１０５の上流側（図中の下側）で分岐し、また、給湯配管１１５は給湯バルブ１１３の下流側（図中の下側）で分岐し、それぞれが水抜き兼用混合水栓１２１へ連通する。
【０００４】
室内のスペースを有効に使用するためには、給湯機１０１は室内側へ突出しないことが望ましい。このため、給水配管１０３や給湯配管１１５などの配管は、給湯機１０１の背面に露出すると、室内側への突出寸法は給湯機１０１の厚みと配管の厚みの和になり、突出寸法が増えることになってしまうので、そうではなく、給湯機１０１の下面から少し下に向かった後に左右へ別れ、その後に上方へ向かうＵ字状の配置にすることで、給湯機１０１を迂回することも考えられるが、この場合には、迂回した配管が室内に多く露出し美観を損なうことになってしまう。
【０００５】
そこで、現在では壁を二重にし、建物の強度を受け持つ躯体壁１２３の室内側に配管用の壁内スペース１２５を設けて、その中に配管することで、壁の中への配管を行っている。  また、給湯機１０１からの燃焼ガスを排気するために、給湯機１０１の上部には排気筒１２７が接続され、この排気筒１２７は壁に沿って上方に伸びた後に、天井に沿って配管され、天井付近の壁に開口する排気口１２９へ接続する。
【０００６】
【発明が解決しようとする課題】
しかしながら、前記従来技術によると以下の問題がある。
（１）配管を壁の中へ行うことで美観は優れるものの、やはり、壁を二重にすることで、本質的に室内への突出量は減っておらず、配管部分以外の部分でも壁を二重にすることになり、有効な室内スペースを減らしてしまうものであった。
（２）また、給湯機１０１の下方に配置される配管は、給湯機１０１の下面から少し下に向かった後に後方へ少し向かい、その後に上方へ向かう配置になり、全体としてＵ字状の配管になる。このため給湯機１０１の下方の下方スペースを物理的に少なくし、また、Ｕ字状配管のための作業スペースも必要となり、給湯機１０１の下方と床の間の下方スペースが少なくなる。
【０００７】
（３）給湯機１０１の下方にバルブ（給水バルブ１０５や給湯バルブ１１３）及び水抜き兼用混合水栓１２１が縦方向に配置されて存在することになってしまうので、物理的にも、配管作業スペースのためにも、給湯機１０１の下方と床の間の下方スペースが少なくなる。
【０００８】
そして例えば、この下方スペースに洗濯機１１９を設置しようとする場合には、給湯機１０１と洗濯機１１９の間の余裕スペースが小さくなる。近年のように室内の天井までの高さが小さなマンションや共同住宅などでは、天井付近の排気筒１２７、排気筒１２７の断熱材、換気設備などと給湯機１０１が干渉しやすいため、また、給湯機１０１の高さを余り高くすると使いにくくなるため、あるいは地方によっては火災予防条例などがあるため、給湯機１０１の設置高さを余り高くできず、給湯機１０１の下方の下方スペースに余裕がない。
また、配管にステンレス鋼管の使用を義務付けられることもあり、ステンレス鋼管でＵ字状配管をするために必要なエルボ、チーズなどの配管部材は芯先が長く、（２）（３）の問題はさらに大きくなる。よって、給湯機１０１の下方への洗濯機１１９の設置を断念せざるを得ない場合もある。
【０００９】
この発明は、以上の課題を解決するためになされたもので、給湯機１０１の本質的な室内への突出量を減らし、給湯機１０１の下方と床の間のスペースを大きくでき、給湯機１０１の下方に、例えば洗濯機１１９を設置できる給湯機１０１を提供することを目的とする。
【００１０】
【課題を解決するための手段】
以上の課題を解決するために、第一の発明は、ガスまたは石油を燃料とする燃焼器と、この燃焼器により発生した燃焼ガスによる熱交換を行う熱交換器と、この熱交換器へ外部から水を導く給水管と、前記熱交換器からのお湯を外部へ導く給湯管と、前記燃焼器へ外部から前記燃料を導く燃料管と、これらの燃焼器、熱交換器、給水管、及び給湯管が収納される筐体と、前記給湯管が分岐した一方が連通し、前記筐体の側面に開口する第１給湯接続口と、前記給湯管が分岐した他方が連通し、前記筐体の下部に開口する水抜き兼用第２給湯接続口と、前記給水管が分岐した一方が連通し、前記筐体の下部に開口する水抜き兼用第２給水接続口と、前記給水管が分岐した他方が連通し、前記筐体の側面に開口する第１給水接続口と、前記燃料管が連通し、前記筐体の側面に開口する燃料接続口と、を有することを特徴とする壁掛式給湯機である。
【００１１】
第二の発明は、前記水抜き兼用第２給湯接続口と前記水抜き兼用第２給水接続口とに、バルブを介さずに水抜き兼用混合水栓を取り付け、前記側面の第１給湯接続口及び第１給水接続口にそれぞれバルブを設けたことを特徴とする壁掛式給湯機である。
【００１２】
第三の発明は、前記水抜き兼用第２給湯接続口と前記水抜き兼用第２給水接続口とに、前記水抜き兼用混合水栓を、あらかじめ一体的に取り付けたことを特徴とする壁掛式給湯機である。
【００１３】
第四の発明は、前記給湯管がさらに分岐し、給湯バイパス管となって前記燃焼器、または前記熱交換器を迂回し、前記第１給湯接続口とは反対側の前記筐体の側面に開口する第３給湯接続口に連通し、前記給水管がさらに分岐し、給水バイパス管となって前記燃焼器、または前記熱交換器を迂回し、前記第１給水接続口とは反対側の前記筐体の側面に開口する第３給水接続口に連通し、前記燃料管が分岐し、燃料バイパス管となって前記燃焼器、または前記熱交換器を迂回し、前記燃料接続口とは反対側の前記筐体の側面に開口する第２燃料接続口に連通したことを特徴とする壁掛式給湯機である。
【００１４】
【発明の実施の形態】
この発明の実施の形態を、図１、図９〜図１２に示す。
（給湯機１０１が取り付けられる部屋）
まず、図１、図９、図１０に示すように、マンションまたは共同住宅などの一室の壁１に、この実施形態の壁掛式の給湯機２が取り付けられる。この給湯機２の下方には洗濯機１１９が設置される。この洗濯機１１９には、給湯機２の下部に設けられる水抜き兼用混合水栓１２１から直接に給湯が行われる。給湯機２には、燃料配管１１７であるガス配管、給水配管１０３、給湯配管１１５が接続される。
【００１５】
洗濯機１１９が設置される床材の下の空間３の内部には、洗濯機専用の排水管５が配管される。この床材の下の空間３を支えるのは、上下の階を分け建物の強度を受け持つ躯体床兼天井７である。  躯体床兼天井７の下方には、一定の天井空間９をあけて、天井材１１が配置される。この天井空間９には、ガス配管、給水配管１０３、給湯配管１１５、換気設備１２や、給湯機２からの燃焼ガスを排気するための排気筒１２７が、配置される。なお、排気筒１２７には断熱材１３が巻かれる。
【００１６】
（給湯機内部）
さて、図１１、図１２に示すように、給湯機２の内部には、中央の下方に、都市ガスまたは天然ガスを燃料とする燃焼器１５が設けられる。この燃焼器１５の上方には、この燃焼器１５により発生した燃焼ガスによる熱交換を行う熱交換器１７が設けられる。燃焼器１５と熱交換器１７は、内部ケース１９に覆われ、この内部ケース１９は燃焼ガスを上方へ排気する排気孔２１を有し、排気孔２１は排気筒１２７へ連通する。
【００１７】
内部ケース１９の外側には、この熱交換器１７へ外部から水を導く給水管２３と、熱交換器１７からのお湯を外部へ導く給湯管２５と、燃焼器１５へ外部から前記燃料を導く燃料管２７と、が設けられる。
そして、これらの燃焼器１５、熱交換器１７、内部ケース１９、給水管２３、給湯管２５、及び燃料管２７が筐体２９に収納される。
このうち給湯管２５は、熱交換器１７のＳ字状配管３１の上端に接続するが、この接続部分から下流側（図中左へ、それから下へ）へたどると、始めに分岐した一方が、筐体２９の左側面に開口する第１給湯接続口３３に連通する。そして、分岐した他方が、筐体２９の下部に開口する水抜き兼用第２給湯接続口３５に連通する。前記分岐した一方は、さらに分岐し、給湯バイパス管３７となって、燃焼器１５および熱交換器１７が覆われる内部ケース１９の背面を迂回し、第１給湯接続口３３とは反対側の筐体２９の右側面に開口する第３給湯接続口３９と連通する。
【００１８】
給水管２３は、熱交換器１７のＳ字状配管３１の下端に接続するが、この接続部分から上流側（図中下側）へたどると、始めに分岐した一方が、筐体２９の下部に開口する水抜き兼用第２給水接続口４１に連通する。そして、分岐した他方が、筐体２９の右側面に開口する第３給水接続口４３に連通する。前記分岐した一方は、さらに分岐し、給水バイパス管４５となって、燃焼器１５および熱交換器１７が覆われる内部ケース１９の背面を迂回し、第３給水接続口４３とは反対側の筐体２９の左側面に開口する第１給水接続口４７と連通する。
【００１９】
燃料管２７は、燃焼器１５の側面に接続するが、この接続部分から上流側へたどると、分岐した一方が、筐体２９の右側面に開口する第２燃料接続口４９に連通する。そして、分岐した他方が、燃料バイパス管５１となって、燃焼器１５および熱交換器１７が覆われる内部ケース１９の背面を迂回し、第２燃料接続口４９とは反対側の筐体２９の左側面に開口する第１燃料接続口５２と連通する。
【００２０】
水抜き兼用混合水栓１２１は、水抜き兼用第２給湯接続口３５と水抜き兼用第２給水接続口４１とに、従来のようなバルブを介さずに水抜き兼用混合水栓１２１を取り付る。その代わりに、給湯機筐体の左側面の第１給湯接続口３３及び第１給水接続口４７にそれぞれバルブ５３を設ける。
【００２１】
また、水抜き兼用混合水栓１２１は、水抜き兼用第２給湯接続口３５と前記水抜き兼用第２給水接続口４１とに、製造工場であらかじめ一体的に取り付けられる。
（配管）
この実施形態では、給湯機２の右に別の壁１が近いので、配管は給湯機２の左側面において行われる。すなわち、給湯機２の左側に広い室内スペースがあり、左側面に第１給湯接続口３３、第１給水接続口４７、及び第１燃料接続口５２が開口しているので、これらに給湯配管１１５、給水配管１０３、燃料配管１１７を接続する。この接続部分の近くは、通常のエルボウ配管などでも良いが、フレキシブルジョイント５５が使用できる。その後に上方へ通常の配管を行う。配管は壁１の外に露出し、さらに給湯機２の背面に重なるようにではなく、給湯機２と重ならないように左へ迂回して配管する。
【００２２】
また、使わない右側面の第３給湯接続口３９、第３給水接続口４３、及び第２燃料接続口４９は、栓で閉じておく。
（実施形態の作用効果）
配管しやすい室内スペースがある給湯機２の左側の側面に第１給湯接続口３３、第１給水接続口４７、及び燃料接続口５２を開口できるので、これらに給湯配管１１５、給水配管１０３、燃料配管１１７を接続することで、容易に配管ができる。このとき、給湯機背面への配管を避けやすいので、給湯機２の室内への本質的な突出量を減らすことができる。
【００２３】
また、従来のような給湯機２下方のＵ字状の配管は無くなる。よって、給湯機２の下方と床の間の下方スペースを大きくでき、給湯機２の下方に、洗濯機１１９を容易に設置できる
また、給湯機２の下面からＵ字状の配管で給湯機２を迂回する場合に比べ、迂回し露出する配管の長さは小さくなる。よって、配管が室内に多く露出し美観を損なうことを抑止でき、工事費も安くできる。
【００２４】
また、給湯機２の壁掛けを行う壁１が外壁であっても、壁１の中を配管することを避けられるので、冬場の凍結の心配がない。
さらに、給湯機２の下部の水抜き兼用第２給湯接続口３５と水抜き兼用第２給水接続口４１とに、バルブ５３を介さずに水抜き兼用混合水栓１２１を取り付けることで、このバルブ５３がない分、給湯機２の下方と床の間の下方スペースを大きくできる。
【００２５】
また、給湯機２の下部に水抜き兼用混合水栓１２１を、あらかじめ一体的に取り付けることで、現場で取り付け作業を行う必要が無く、給湯機２の下方に取り付け作業スペースが要らない。よって、給湯機２の下方と床の間の下方スペースを大きくできる。また、給湯機２を設置する部屋の位置や状況によれば、給湯機２の反対側の右側面に配管を接続する必要が生じるが、この右側面には第３給湯接続口３９、第３給水接続口４３、および第２燃料接続口４９を開口できるので、配管の自由度が大きくなり配管作業が容易になる。
【００２６】
（他の実施形態）
以上の実施形態では、給湯機２の左側面に開口する第１給湯接続口３３、第１給水接続口４７、及び燃料接続口へ、給湯配管１１５、給水配管１０３、燃料配管１１７を接続し、右側面の第３給湯接続口３９、第３給水接続口４３、及び第２燃料接続口４９は、栓で閉じておくものであったが、これらの接続を行う接続口の選択は任意である。
【００２７】
例えば、図２に示す他の実施形態では、右側面の第３給湯接続口３９、第３給水接続口４３、及び第２燃料接続口４９を選択する。
また、図３に示す他の実施形態では、左側面の第１給湯接続口３３、第１給水接続口４７、右側面の第２燃料接続口４９を選択する。
また、図４に示す他の実施形態では、左側面の第１燃料接続口５２、右側面の第３給湯接続口３９、第３給水接続口４３を選択する。
また、図５に示す他の実施形態では、左側面の第１給水接続口４７、第１燃料接続口５２、右側面の第３給湯接続口３９を選択する。
また、図６に示す他の実施形態では、左側面の第１給湯接続口３３、右側面の第３給水接続口４３、第２燃料接続口４９を選択する。
また、図７に示す他の実施形態では、左側面の第１給湯接続口３３、第１燃料接続口５２、右側面の第３給水接続口４３を選択する。
また、図８に示す他の実施形態では、左側面の第１給水接続口４７、右側面の第３給湯接続口３９、第２燃料接続口４９を選択する。
また、以上の実施形態では、燃料はガスであったが、他の実施形態では石油とすることができる。石油用の燃料管２７や燃料配管１１７は、ガスの場合よりもやや小径となる。また、燃焼器１５も石油専用のものになる。その他は、ほとんど共通のものを使用しうる。また、石油の燃料配管１１７は、天井空間９や床材の下の空間３の中、または壁１の中に配置される。
以上の実施形態では、各バイパス管３７、４５、５１は、燃焼器１５および熱交換器１７が覆われる内部ケース１９の背面を迂回したが、他の実施形態では背面ではなく前面を迂回することもできる。
【００２８】
【発明の効果】
以上説明したように、第一、第二、第三、または第四の発明によれば、給湯機の側面に第１給湯接続口、第１給水接続口、及び燃料接続口が開口するので、これらに給湯配管、給水配管、燃料配管を接続することで、容易にこれら配管を壁の外に露出して、さらに給湯機の背面ではなく給湯機を迂回して配管できる。このとき、給湯機背面への配管を避けやすいので、給湯機の室内への本質的な突出量を減らすことができる。
【００２９】
また、給湯機下方のＵ字状の配管は無くなる。よって、給湯機の下方と床の間の下方スペースを大きくでき、給湯機の下方に、例えば洗濯機を容易に設置できる
また、給湯機の下面からＵ字状の配管で給湯機を迂回する場合に比べ、迂回し露出する配管の長さは小さくなるので、配管が室内に多く露出し美観を損なうことを抑止でき、さらに工事費を低減できる。
【００３０】
また、給湯機の壁掛けを行う壁が外壁であっても、壁の中を配管する場合に比べ、冬場の凍結の心配がない。
第二の発明によれば、さらに、給湯機の下部の水抜き兼用第２給湯接続口と水抜き兼用第２給水接続口とに、バルブを介さずに水抜き兼用混合水栓を取り付けることができ、このバルブがない分、給湯機の下方と床の間の下方スペースを大きくできる。
【００３１】
第三の発明によれば、さらに、給湯機の下部に水抜き兼用混合水栓を、あらかじめ一体的に取り付けることで、現場で取り付け作業を行う必要が無く、給湯機の下方に作業スペースが要らない。よって、給湯機の下方と床の間の下方スペースを大きくできる。
【００３２】
第四の発明によれば、さらに、給湯機の反対側の側面に、第３給湯接続口、第３給水接続口、および第２燃料接続口を開口できるが、必要ない接続口は閉じておくことで、これらに接続する給湯配管、給水配管、及び燃料配管の配管の自由度が大きくなり、配管作業が容易になる。
【図面の簡単な説明】
【図１】この発明の一実施形態に係る給湯機が室内に取り付けられている様子を、建物の一部を断面にして示す正面図である。
【図２】この発明の他の実施形態に係る給湯機が室内に取り付けられている様子を、建物の一部を断面にして示す正面図である。
【図３】この発明の他の実施形態に係る給湯機が室内に取り付けられている様子を、建物の一部を断面にして示す正面図である。
【図４】この発明の他の実施形態に係る給湯機が室内に取り付けられている様子を、建物の一部を断面にして示す正面図である。
【図５】この発明の他の実施形態に係る給湯機が室内に取り付けられている様子を、建物の一部を断面にして示す正面図である。
【図６】この発明の他の実施形態に係る給湯機が室内に取り付けられている様子を、建物の一部を断面にして示す正面図である。
【図７】この発明の他の実施形態に係る給湯機が室内に取り付けられている様子を、建物の一部を断面にして示す正面図である。
【図８】この発明の他の実施形態に係る給湯機が室内に取り付けられている様子を、建物の一部を断面にして示す正面図である。
【図９】図１の右側面図である。
【図１０】図１の左側面図である。
【図１１】図１の給湯機の内部を示す縦断面正面図である。
【図１２】図１１の給湯機の内部を左から示す縦断面側面である。
【図１３】従来の給湯機が室内に取り付けられている様子を、建物の一部を断面にして示す正面図である。
【図１４】図１３の右側面図である。
【符号の説明】
１…壁、
３…床材の下の空間、
５…排水管、
７…躯体床兼天井、
９…天井空間、
１１…天井材、
１３…断熱材、
１５…燃焼器、
１７…熱交換器、
１９…内部ケース、
２１…排気孔、
２３…給水管、
２５…給湯管、
２７…燃料管、
２９…筐体、
３１…Ｓ字状配管、
３３…第１給湯接続口、
３５…水抜き兼用第２給湯接続口、
３７…給湯バイパス管、
３９…第３給湯接続口、
４１・・・水抜き兼用第２給水接続口
４３…第３給水接続口、
４５…給水バイパス管、
４７…第１給水接続口、
４９…第２燃料接続口、
５１…燃料バイパス管、
５２・・第１燃料接続口
５３…バルブ、
５５…フレキシブルジョイント、
１０１…給湯機、
１０３…給水配管、
１０５…給水バルブ、
１０７…筐体、
１０９…給水接続口、
１１１…給湯接続口、
１１３…給湯バルブ、
１１５…給湯配管、
１１７…燃料配管、
１１９…洗濯機、
１２１…水抜き兼用混合水栓、
１２３…躯体壁、
１２５…スペース、
１２７…排気筒、
１２９…排気口。
【図１】
2004271020.tif 000003
【図２】
2004271020.tif 000004
【図３】
2004271020.tif 000005
【図４】
2004271020.tif 000006
【図５】
2004271020.tif 000007
【図６】
2004271020.tif 000008
【図７】
2004271020.tif 000009
【図８】
2004271020.tif 000010
【図９】
2004271020.tif 000011
【図１０】
2004271020.tif 000012
【図１１】
2004271020.tif 000013
【図１２】
2004271020.tif 000014
【図１３】
2004271020.tif 000015
【図１４】
2004271020.tif 000016